(57)【要約】      （修正有）【課題】モバイル機器など小物があるときは収納袋を取り付けて蓋体の前面から出し入れでき、これがないときは、収納袋を取り外せるようにしたスーツケースを提供する。【解決手段】本考案のスーツケースは、箱体１と蓋体２をヒンジで連結した直方体状の硬質樹脂製であり、該蓋体２の前面に、開口部５を形成し、該開口部５にファスナー５ａで開閉される開口蓋３を設けている。そして、電子機器などの物品を収納する収納袋１０を該開口部５から該蓋体２に脱着可能に設けている。この収納袋１０は、上端縁６に縁金を配して上方が開口された袋状であり、後部上端と前部上端を、蓋体２上端と蓋体２前部裏面にそれぞれ脱着可能に連結されている。【選択図】図２
0003213252.tif 000002
【実用新案登録請求の範囲】
【請求項１】
箱体と蓋体をヒンジで連結した直方体状の硬質樹脂製のスーツケースにおいて、該蓋体の前面に、開口部を形成し、該開口部にファスナーで開閉される開口蓋を設け、小物物品を収納する収納袋を該開口部から該蓋体に脱着可能に付設したことを特徴とするスーツケース。
【請求項２】
前記収納袋は、上端縁に縁金を配して上方が開口された袋状であり、後部上端と前部上端を、蓋体上端と蓋体前部裏面にそれぞれ脱着可能に連結したことを特徴とする請求項１記載のスーツケース。
【請求項３】
前記収納袋は、袋の背部側にポケットを設けたことを特徴とする請求項１または請求項２に記載のスーツケース。
【考案の詳細な説明】
【技術分野】
【０００１】
本考案は、簡便に小物の出し入れを行うため蓋体の前面に開口蓋を設けた硬質樹脂製のスーツケースに関するものである。
【背景技術】
【０００２】
硬質樹脂製のスーツケースは、箱体と蓋体からなり、丈夫にできているが、表面にはポケットなどを備えておらず、荷物の出し入れする場合は、横に寝かせた状態で蓋体を開口しなければならない。このため、モバイル機器など待ち時間に使用することの多い小物は、スーツケースへの出し入れが厄介であるという難点がある。
そこで、蓋体にファスナーで開口できる副蓋を設けてモバイル機器を出し入れできるようにしたものが開発されている（特許文献１参照）。
【先行技術文献】
【特許文献】
【０００３】
【特許文献１】実用新案登録３１８２０８３号公報
【考案の概要】
【考案が解決しようとする課題】
【０００４】
特許文献１のスーツケースはパソコンなどのモバイル機器をクッションを介して保持され、スーツケースから簡便に出し入れできる。しかしながら、このモバイル機器の収納部はスーツケース内に予め形成された内装で、固定されている。このため、モバイル機器またはこれに代わる小物がない場合は、この内装がスーツケースの収納スペースを狭めてしまうという欠点がある。
【０００５】
本考案は、上記の問題点を解消するものであり、モバイル機器など小物があるときはこれを収納する収納袋を取り付けて蓋体の前面から出し入れでき、収納する小物がないときは、収納袋を取り外し、スペースを確保できるようにしたスーツケースを提供することを目的としている。
【課題を解決するための手段】
【０００６】
上記の目的を解決するため、本考案のスーツケースは、次のように構成した。すなわち、箱体と蓋体をヒンジで連結した直方体状の硬質樹脂製のスーツケースにおいて、該蓋体の前面に、開口部を形成し、該開口部にファスナーで開閉される開口蓋を設け、小物物品を収納する収納袋を該開口部から該蓋体に脱着可能に付設したことを特徴としている。
【０００７】
硬質樹脂製スーツケースは、キャスターと伸縮できるキャリーハンドルを備えたものが、一般的であるが、本考案は、特に、これを備えたものに限定するものではない。
開口部の形状および大きさは特に問わないが、スーツケースを立てて置いた状態で、開口蓋の下端縁を開口部の下縁に連結し、開口蓋の上部側がスーツケースの外側へ開放されるように構成するとよい。また、開口蓋は、開口しすぎないように（３０〜５０度）、蓋体と開口蓋をベルトで連結するとよい。なお、開口部は、密封性を保つように構成する。
【０００８】
収納袋は、クッション材を付設するなど、収納する小物に適したものとすればよい。
収納する小物は、モバイル機器や空港などで購入したお土産、ガイドブック、新聞、雑誌等、種々のものが考えられる。
モバイル機器の場合は、請求項３に記載のように、上端縁に縁金を配して上方が開口された袋状であり、後部上端と前部上端を、蓋体上端と蓋体前部裏面にそれぞれ脱着可能に連結したものとし、収納袋の後部にモバイル機器を収納するポケットを設けるとよい。なお、縁金は、金属製に限らず、硬質樹脂などでもよい。また、収納袋の脱着は、開口蓋を開口して行えるようにする。また、脱着のための部材は、ホック、面ファスナー、ファスナー、バックルなど種々のものが使用でき適宜なものを選定すればよい。
【考案の効果】
【０００９】
本考案のスーツケースは、蓋体の前面に、開口部を形成し、該開口部にファスナーで開閉される開口蓋を設け、小物物品を収納する収納袋を脱着可能に付設したので、収納袋を装着しているときは、開口蓋を開閉してモバイル機器などの出し入れを簡便に行うことができ、小物の出し入れの必要性がないときは、収納袋を外してスーツケースの収納部を拡くできる。
また、開口部から脱着できるので、荷物を入れ終わった後でも脱着できる。また、例えば、気候の違う場所への行き帰りのとき、空港などで上着やコート等を簡便に開口蓋から出し入れできるなど、実用上の効果多大である。
【図面の簡単な説明】
【００１０】
【図１】本考案のスーツケースの実施の形態を示す全体斜視図である。
【図２】同、開口蓋を開口したときの状態を示す斜視図である。
【図３】同、収納袋の実施の形態を示す斜視図である。
【図４】同、収納袋をスーツケースへ取り付ける状態を示す斜視図である。
【図５】同、スーツケースの側面断面図である。
【考案を実施するための形態】
【００１１】
本考案のスーツケースの実施の形態を、図１〜図５に基づいて説明する。
図１は、本考案のスーツケースの全体を示す斜視図で、硬質樹脂からなる箱体１と蓋体２がヒンジで連結され、下端の四隅にキャスター２０を備え、上部と側部に取手１８，１９が設けられている。そして、蓋体２の上部側に開口蓋３が設けられている。なお、図中４はフレーム、５ａはファスナー、１７は連結材である。
【００１２】
図２は、開口蓋３を開口したときの状態を示す斜視図で、図５は側面図である。
蓋体２の前面上部に矩形状の開口部５が形成され、その下端部に開口蓋３が連結されている。そして、開口部５の端部周囲と開口蓋３の上端縁３ａには、ファスナー５ａが付設されている。
開口蓋３の左右端には、開口蓋２の開口量を所定量に規制するため、先端にホックが取り付けられた係止ベルト９が付設されており、蓋体２に固設された係止ベルト１３と連結されている。
【００１３】
開口蓋３の近くには、モバイル機器など小物を収納するための収納袋１０が蓋体２に吊持されている。この収納袋１０は布製で、下端はスーツケースの底面から浮いた状態で、図３に示すように、上部が開口され、上端縁６の周囲には縁金が配され、一定の形状を形成している。また、収納袋１０の後部１１ａの上端には蓋体２の上部に付設された止鋲１６と連結される止鋲１２が付設され、前部１１ｂには蓋体２の裏面に取り付けられている面ファスナー２ａと係着する面ファスナー１５が付設されている。
後部１１ａにはポケット８が縫着されており、中央上部に小物が飛び出さないようにバンド７が付設されている。
このポケット８と前部１１ｂとは針金６と止鋲１２および面ファスナー１５によって、十分離間されて取り付けられるようにしている。
なお、開口蓋３の内側には蓋ポケット１４が設けられている。
【００１４】
次に、このように構成された本考案のスーツケースの作用について説明する。
まず、モバイル機器の収納が予想されるときは、スーツケースを立てた状態で、開口蓋３を開口して、収納袋１０を挿入し後部１１ａの上端と前部１１ｂを蓋体２に固設して取り付け、スーツケースを横に寝かせた状態で蓋体２を開いて荷物を収納する。
そして、モバイル機器を収納する場合は、蓋体２を閉じて、スーツケースを立てた状態として、ファスナー５ａを操作して開口蓋３を開口する。開口蓋３は係止ベルト９，１３によって、一定の角度（ここでは３５度としている。）に開口される。
ここで、バンド７を外して、モバイル機器をポケット８に収納し、バンド７を止めて、開口蓋３を閉じ、ファスナー５ａを操作して開口部５を閉鎖する。
【００１５】
収納袋１０の前部１１ｂは蓋体２の裏面の面ファスナー２ａに面ファスナー１５が係止して固設され、収納袋１０の後部１０ａは、上端に付設された止鋲１２を蓋体２に付設した止鋲１６に連結されている。そして、収納袋１０の上端縁６は縁金で一定の形状に固定されているので、搬送過程でスーツケースが乱暴に扱われても、ポケット８に収納されたモバイル機器は、不用意にスーツケース内を移動することはない。
【００１６】
一方、モバイル機器など、収納する小物がないときは、ファスナー５ａを操作して開口蓋３を開口し、止鋲１２と面ファスナー１５を外して収納袋１０を開口部５から取り出せば、収納袋１０のない通常のスーツケースと同じスペースの状態で収納できる。
しかも、横に寝かせて蓋体２を開放しなくても、スーツケースを立てた状態で開口蓋３を開口してスーツケース内の荷物を取出したり、収納することができる。
例えば、気候の違う場所への行き帰り空港などで、上着やコートを開口蓋３を開口して出し入れできる。
【００１７】
なお、上記の実施の形態においては、収納する小物をモバイル機器として説明したが、本考案はこれに限るものではなく、収納したり、取出したりすることが考えられるものであれば、そのものに合わせた収納袋を作って使用すればよい。また、収納袋１０は下端はスーツケースの底面から浮いた状態としたが、底面まで達していてもよく、また、収納袋１０の脱着部材として止鋲１２、１６と、面ファスナー２ａ、１５を使用したもので説明したが、これに限るものではなく、止鋲は、ホック、バックル、面ファスナー、ファスナーなどでもよく、面ファスナーはホックでもよい。さらに、開口蓋３の係止ベルト９，１３の連結部材はホックとしたが、バックルなど接合できるものであればよい。また、スーツケース中央部のフレーム４は、ファスナーでもよい。
【符号の説明】
【００１８】
１  箱体
２  蓋体
２ａ  面ファスナー
３  開口蓋
３ａ  上端縁
４  フレーム
５  開口部
５ａ  ファスナー
６  上端縁
７  バンド
８  ポケット
９  係止ベルト
１０  収納袋
１１ａ  後部
１１ｂ  前部
１２  止鋲
１３  係止ベルト
１４  蓋ポケット
１５  面ファスナー
１６  止鋲
１７  連結材
１８  把手
１９  把手
２０  キャスター
【図１】
0003213252.tif 000003
【図２】
0003213252.tif 000004
【図３】
0003213252.tif 000005
【図４】
0003213252.tif 000006
【図５】
0003213252.tif 000007